(57)【特許請求の範囲】
【請求項１】
伸縮性の糸を用いて着用者の身体の着用部の周囲長に対応したサイズの筒状生地として一体に編成される成型衣類を用いた下半身衣類であって、
前記筒状生地の両側部は、前記下半身衣類の両サイドとなる部分であって、この部分の度目を局部相当部および／または臀部相当部の度目よりも多くしてあり、
該筒状生地は、凹部と凸部の着圧がほぼ均一となるように身体の凹凸形状に対応して、度目の多少分布からなる度目マップと、締付力の大小分布からなる編組織マップとを組み合わせて編成されており、前記マップはデータであって、
前記凸部が前中央部の局部相当部と臀部相当部とに配置されて形成されていると共に、
前記筒状生地の上部側開口部がウエスト部とされ、
前記ウエスト部の両側前部から前側股部に向けて斜めに伸びる前側サイド帯状領域と前記前側サイド帯状領域の上下方向途中から後方の臀部下方に向けて斜めに伸びる後側サイド帯状領域とが形成されており、前記前側サイド帯状領域および前記後側サイド帯状領域は、編組織と度目との何れか一方又は両方が前記凹部とは異なるものとして編成されていることを特徴とする下半身衣類。
【請求項２】
左右の臀部相当部の間の臀裂部相当部は、編組織と度目との何れか一方又は両方が前記凹部とは異なるものとして編成されていることを特徴とする、請求項１に記載の下半身衣類。
【発明の詳細な説明】
【技術分野】
【０００１】
本発明は、成型衣類及び該衣類を用いた下半身衣類に関するものである。
【背景技術】
【０００２】
従来、男性用下半身衣類に関して、前身頃中央部を局部の凸部に対応させるために立体形状に構成するに当たり、生地を平面的に展開した複数の片（パーツ）に分割して裁断し、それらの各片を分割線などの裁断線に沿って縫合する方式（以下、カットソータイプと称する）のもの（例えば、特許文献１、２参照）と、筒状生地として一体に成型するタイプのもの（例えば、特許文献３〜５）とがあった。
【先行技術文献】
【特許文献】
【０００３】
【特許文献１】特開平９−２１７２０１号公報
【特許文献２】特開２００７−２３９１２４号公報
【特許文献３】特開平１１−４３８０６号公報
【特許文献４】特開平１１−６１５０３号公報
【特許文献５】特許第２８９６６４７号公報
【発明の概要】
【発明が解決しようとする課題】
【０００４】
従来のカットソータイプのものは、パーツ同士の縫目の位置で伸縮性が損なわれると共に、該縫目部分での生地厚みが局部的に分厚くなり、アウターに響き、また、剛性も局部的に高くなってゴワツキ等を生じて着用感を損ねる点で問題があった。
また、従来の一体成型タイプのものは、上記問題を解消することができるが、身体の凸部の着圧が高い傾向があり、逆に凹部や平らな部分は着圧が低くなっており、着圧の高低差が激しく、例えば、凸部に対する凹部周辺部でのフィット性にムラがあったり、緊締力過多の部分があるなどの問題点があった。
【０００５】
本発明は、従来技術の上記問題点に鑑みて開発されたもので、着圧の極端な高低差を生じることなくほぼ均一な着圧で身体各部にソフトタッチでフィットし、着脱が容易な成型衣類及び該衣類を用いた下半身衣類を提供することを目的としている。
【課題を解決するための手段】
【０００６】
前記目的を達成するために本発明は、伸縮性の糸を用いて着用者の身体の着用部の周囲長に対応したサイズの筒状生地として一体に編成される成型衣類であって、
該筒状生地は、凹部と凸部の着圧がほぼ均一となるように身体の凹凸形状に対応して、度目の多少分布からなる度目マップと、締付力の大小分布からなる編組織マップとを組み合わせて編成されていることを特徴としている。
【０００７】
この構成によれば、身体の凹部と凸部とに対する着圧をほぼ均一とし、身体各部にソフトタッチでフィットし、着脱が容易な成型衣類を提供することができる。
前記度目マップは、凹部では度目を多く、凸部では度目を少なく設定されており、前記編組織マップは、前記凸部周辺が、前記凹部及び凸部の編組織よりも強い締付力に設定されていることが好ましい。
【０００８】
また、前記凹部及び凸部の編組織は、平編またはフライス編とされ、前記凸部周辺の編組織は、ニットミス編またはタック編の何れかを含む編地とされていることが好ましい。
本発明は、また、前記成型衣類を用いて製作される男性用下半身衣類であって、前記凸部が前中央部の局部相当部と臀部相当部とに配置されて形成されていると共に、前記筒状生地の上部側開口部がウエスト部とされ、下部側開口部の左右方向中央部に切除部が形成され、該切除部にマチ布が縫着されて股部及び両側脚筒部が形成されており、前記筒状生地の両側部の度目を前記凸部の度目よりも多くして編成されていることを特徴としている。
【０００９】
この構成によれば、着圧の極端な高低差を生じることなくほぼ均一な着圧で身体各部にソフトタッチでフィットし、着脱が容易な下半身衣類を提供することができる。
【発明の効果】
【００１０】
本発明によれば、着圧の極端な高低差を生じることなくほぼ均一な着圧で身体各部にソフトタッチでフィットし、着脱が容易な成型衣類及び該衣類を用いた下半身衣類を提供することができる。
【図面の簡単な説明】
【００１１】
【図１】本発明に係る成型衣類の概略正面図である。
【図２】本発明に係る成型衣類の概略背面図である。
【図３】本発明に係る成型衣類の編組織マップの展開図である。
【図４】本発明に係る成型衣類の度目マップの展開図である。
【図５】本発明に係る成型衣類の股部及び両側脚筒部の形成説明図である。
【発明を実施するための形態】
【００１２】
以下、本発明に係る成型衣類の実施形態を図面を参照して説明する。
本発明の成型衣類１は、伸縮性の糸を用いて着用者の身体の着用部の周囲長に対応したサイズの筒状生地２（図５参照）として一体に編成される。なお、着用部の周囲長に対応したサイズとは、着用者の身体にある程度密着して着用される衣類（例えば、ブラジャー、ブリーフ等）の着用部の周囲長（例えば、胸囲、胴回り、腰回り、ヒップ廻り等）に対応したサイズ（例えば、ＬＬ，Ｌ，Ｍ，Ｓ等）を意味するものと理解されたい。
【００１３】
上記伸縮性の糸としては、ポリウレタン系合成繊維にナイロン、ポリエステル、を巻き付けたＦＴＹやＤＣＹ、その他、ＣＳＹなどがある。
前記筒状生地２は、図１、図２に示す凹部３と凸部４の着圧がほぼ均一となるように身体の凹凸形状に対応して、度目の多少分布からなる度目マップ５（図４参照）と、締付力の大小分布からなる編組織マップ６（図３参照）とを組み合わせて編成されている。
【００１４】
度目マップ５と編組織マップ６との組み合わせは、それぞれ単独の領域や重なった領域が入り混じりながらアナログ的に（着圧の極端な高低差を生じることなく）身体の各部に均一にフィットする成型衣類１が得られるようになされる。なお、本明細書において、度目とは、２．５４ｃｍ間のコース数、ウエール数（「繊維総合辞典」編著者：繊維総合辞典編集委員会編、発行所：繊研新聞社）を表すものと理解されたい。
【００１５】
上記筒状生地２は、部分度目調整機能付き丸編機（例えば、（伊）サントニー社製  ＳＭ８  ＴＯＰ２等）を用いて編成される。
上記丸編機により筒状生地２を編成する場合には、筒状生地２の限られたコース数の中で、凸部（膨出部）を形成するには、どこかを逆に詰める必要がある。
そのために、本発明は、凸部４の部分に十分生地がまわるように、編組織で凸部周辺７をタックで詰めて（タック編して）その余った生地を凸部４にあてる（充足する）ことで凸部４の着圧を下げると共に、凹部（平らな部分を含む）３の度目を凸部４よりも多く（密に）することで、凹部３の着圧を上げるようにしており、このようにすることで、凹部３と凸部４との着圧の差をなくし、ほぼ均一な着圧を得られるようにしている。
【００１６】
そこで、前記度目マップ５は、凹部３では度目を多く、凸部４では度目を少なく設定しており、前記編組織マップ６は、前記凸部周辺７を、前記凹部３及び凸部４の編組織よりも強い締付力に設定している。
前記凹部３及び凸部４の編組織は、平編またはフライス編とされ、前記凸部周辺７の編組織は、ニットミス編またはタック編の何れかを含む編地とされている。
【００１７】
本発明に係る成型衣類１の実施形態は、以上の構成からなり、次に、その作用効果を説明する。
本発明の成型衣類１は、伸縮性の糸を用いて着用者の身体の着用部の周囲長に対応したサイズの筒状生地２として一体に編成されており、この筒状生地２は、凹部３と凸部４の着圧がほぼ均一となるように身体の凹凸形状に対応して、度目の多少分布からなる度目マップ５と、締付力の大小分布からなる編組織マップ６とを組み合わせて編成されている。そして、度目マップ５は、凹部３では度目を多く、凸部４では度目を少なく設定されており、前記編組織マップ６は、前記凸部周辺７が、前記凹部３及び凸部４の編組織よりも強い締付力に設定されている。また、凹部３及び凸部４の編組織は、平編またはフライス編
とされ、前記凸部周辺７の編組織は、ニットミス編またはタック編の何れかを含む編地とされている。このように本発明は、凸部４の部分に十分生地がまわるように、編組織で凸部周辺７をタック編等で詰めてその余った生地を凸部４に充足することで凸部４の着圧を下げると共に、凹部（平らな部分を含む）３の度目を凸部４よりも多くすることで、凹部３の着圧を上げるようにしている。その結果、本発明の成型衣類によれば、凹部３と凸部４との着圧の差をなくし、ほぼ均一な着圧が得られる。
【００１８】
また、前記成型衣類１を用いて製作される本発明の男性用下半身衣類８は、図１及び図２に示すように、前記凸部４が前中央部の局部相当部４ａと後側の臀部相当部４ｂとに配置されて形成されていると共に、図５に示す筒状生地２の上部側開口部２ａがウエスト部９とされ、下部側開口部２ｂの左右方向中央部に切除部２ｃが形成され、該切除部２ｃに共生地からなるマチ布１０が縫着されて股部１１及び両側脚筒部１２が形成されており、前記筒状生地２の両側部２ｄの度目を前記凸部４の度目よりも多くして編成されている。筒状生地２の両側部２ｄは、男性用下半身衣類８の両サイドとなる部分であって、この部分の度目を局部相当部４ａや臀部相当部４ｂの度目よりも多くしてあることによって、男性用下半身衣類８の両サイドの着圧を上げることができる。なお、両サイドには、ウエスト部９の両側前部から前側股部１１に向けて斜めに伸びる前側サイド帯状領域１３とこの領域の上下方向途中から後方の臀部下方に向けて斜めに伸びる後側サイド帯状領域１４とが形成されており、これらの領域は、着圧の均一化を図るために編組織と度目との何れか一方又は両方を凹部３とは異なるものとして編成されている。また、図２における左右の臀部相当部４ｂ、４ｂの間の臀裂部相当部１５には、前記領域１３，１４と同様な編組織又は度目で編成した領域が形成されている。
【００１９】
図３及び図４は、上記した男性用下半身衣類８に適用する場合の編組織マップ６と度目マップ５を例示しており、図３の左右方向中央部が局部相当部４ａに対応する凸部４であり、同図の左右方向両側が臀部相当部４ｂに対応する凸部４であり、これらの凸部４，４間にある凹部３，３が男性用下半身衣類８の両サイドに対応する部分であり、それぞれの凸部４の周辺には凸部周辺７が細帯状に配置されており、これら各部分の締付力の分布は、凸部周辺７が凹部３及び凸部４よりも締付力を強くされている。また、図４の左右方向中央部が局部相当部４ａに対応する凸部４であり、同図の左右方向両側が臀部相当部４ｂに対応する凸部４であり、これらの凸部４，４間に凸部周辺７及び凹部３が配置されている。
【００２０】
本発明に係る男性用下半身衣類８の実施形態は、以上の構成からなり、次に、その作用効果を説明する。
本発明の男性用下半身衣類８は、局部相当部４ａと臀部相当部４ｂとの前記凸部４を適用していることと、両サイドの度目を凸部４の度目よりも多くしていることとによって、次のような作用効果が得られる。即ち、凸部４を適用した局部相当部４ａ及び臀部相当部４ｂに十分生地がまわるように、編組織でそれらの凸部周辺７をタック編等で詰めてその余った生地を凸部４を適用した局部相当部４ａと臀部相当部４ｂとに充足することで凸部４を適用した局部相当部４ａと臀部相当部４ｂとの着圧を下げると共に、両サイドの度目を局部相当部４ａや臀部相当部４ｂの度目よりも多くすることによって、両サイドの着圧を上げるようにしている。その結果、本発明の男性用下半身衣類８によれば、局部相当部４ａや臀部相当部４ｂを形成している凸部４と凸部周辺７及び両サイド等の凹部３との着圧の差をなくし、ほぼ均一な着圧が得られる。
【００２１】
本発明の実施形態は、以上からなるが、本発明は、上記実施形態にのみ制約されるものではなく、特許請求の範囲に記載された範囲内で自由に変更して実施することができる。例えば、編組織マップ６及び度目マップ５は、用途、目的等に応じて適宜の組み合わせとしてもよい。また、使用する糸の種類や編組織も、種々のものを採用可能である。
【産業上の利用可能性】
【００２２】
本発明に係る成型衣類は、男子用パンツ、ズボン下、水着等の他、女性用パンティ、パンティストッキング、ガードル、ブラジャー、スリップ、キャミソール、ボディスーツ、水着等に適用可能である。
【符号の説明】
【００２３】
１    成型衣類
２    筒状生地
２ａ    上部側開口部
２ｂ    下部側開口部
２ｃ    切除部
２ｄ    両側部
３    凹部
４    凸部
４ａ    局部相当部
４ｂ    臀部相当部
５    度目マップ
６    編組織マップ
７    凸部周辺
８    男性用下半身衣類
９    ウエスト部
１０    マチ布
１１    股部
１２    脚筒部
１３    前側サイド帯状領域
１４    後側サイド帯状領域
１５    臀裂部相当部
【図１】
0005520401.tif 000002
【図２】
0005520401.tif 000003
【図３】
0005520401.tif 000004
【図４】
0005520401.tif 000005
【図５】
0005520401.tif 000006